(57)【要約】      （修正有）【課題】表示具を自動的に拡開したり、表示具の表面からポップ広告板を突出させる表示具用伸縮構造体を提供する。【解決手段】表示具用伸縮構造体１は、向かい合う２つの脚部板部３、５と第１の平板部４と第２の平板部６と調整板部２と、前記２つの脚部板部３、５の間に取り付けられた弾性部材１２とを備え、さらに、前記２つの脚部板部３、５は屈曲部Ａ、Ｄを有し、前記調整板部２は一方の前記脚部板部５の屈曲部Ｄより、他方の前記脚部板部３の屈曲部Ａ方向に延び、かつ前記屈曲部に当接可能な自由端を有する。前記弾性部材１２の両端は、前記調整板部２の基端部付近と他方の前記脚部板部３の屈曲部Ａに固定され、向かい合う前記屈曲部が近接するように、かつ、調整板部２の前記自由端が、他方の前記脚部板部３の屈曲部Ａに当接するように付勢するものとなっている。【選択図】図２
0003182695.tif 000002
【実用新案登録請求の範囲】
【請求項１】
押圧することにより、扁平形状となり、かつ、押圧解除により、立体的形状に拡開する６角以上の多角形の筒状体からなる表示具用伸縮構造体であって、
前記表示具用伸縮構造体は、向かい合う２つの脚部板部と、一方の脚部板部の一端と他方の脚部板部の一端とを連接する第１の平板部と、前記第１の平板部と向かい合い、かつ一方の脚部板部の他端と他方の脚部板部の他端とを連接する第２の平板部と、一方の前記脚部板部から他方の前記脚部板部に向かって延びる調整板部と、前記２つの脚部板部の間に取り付けられた弾性部材とを備え、
さらに、前記２つの脚部板部は、向かい合い、かつ折り畳むことができる屈曲部を有し、前記調整板部は、一方の前記脚部板部の前記屈曲部より、他方の前記脚部板部の前記屈曲部方向に延び、かつ前記屈曲部に当接可能な自由端を有するものとなっており、前記弾性部材は、一端部が前記調整板部の基端部付近に固定され、他端部が、前記他方の前記脚部板部の前記屈曲部に固定され、向かい合う前記屈曲部が近接するように、かつ、前記調整板部の前記自由端が、前記他方の前記脚部板部の前記屈曲部に当接するように付勢するものとなっていることを特徴とする表示具用伸縮構造体。
【請求項２】
前記表示具用伸縮構造体は、段ボール又は厚紙からなる１枚の細長い矩形状のシートを折り曲げることにより、前記２つの脚部板部、前記第１の平板部、前記第２の平板部および前記調整板部を構成したものである請求項１に記載の表示具用伸縮構造体。
【請求項３】
前記多角形の筒状体が、６角形または８角形の筒状体である請求項１または２に記載の表示具用伸縮構造体。
【請求項４】
前記調整板部は、前記弾性部材を挿通する貫通孔を備え、前記弾性部材は、前記調整板部に設けた貫通孔に挿通され、その両端部がそれぞれ前記２つの脚部板部の前記屈曲部付近に、前記２つの脚部板部を内方に牽引するように取り付けられている請求項１ないし３のいずれかに記載の表示具用伸縮構造体。
【請求項５】
前記屈曲部は、前記脚部板部の中央縦方向に形成された折曲線により形成されている請求項１ないし４のいずれかに記載の表示具用伸縮構造体。
【請求項６】
前記調整板部は、自由端となっている先端部側の近くに、前記弾性部材を挿通する貫通孔を備えている請求項１ないし５のいずれかに記載の表示具用伸縮構造体。
【請求項７】
前記弾性部材は、前記調整板部の貫通孔に挿通されるとともに、前記二つの脚部板部の屈曲部近傍にそれぞれ設けられた挿通孔に両端部が挿通され、前記脚部板部の外側において係止部材により取り付けられている請求項１ないし６のいずれかに記載の表示具用伸縮構造体。
【請求項８】
前記弾性部材は、一端が一方の前記脚部板部の前記屈曲部付近に固定され、他端が他方の前記脚部板部の前記屈曲部付近に固定され、かつ、前記調整板部の一方の側面を横切る第１の弾性線状部と、一端が一方の前記脚部板部の前記屈曲部付近に固定され、他端が他方の前記脚部板部の前記屈曲部付近に固定され、かつ、前記調整板部の他方の側面を横切る第２の弾性線状部とを有している請求項１ないし４のいずれかに記載の表示具用伸縮構造体。
【請求項９】
前記弾性部材は、輪ゴム又はゴム紐である請求項１ないし８のいずれかに記載の表示具用伸縮構造体。
【考案の詳細な説明】
【技術分野】
【０００１】
本考案は、店頭、展示場等において、商品の宣伝等を目的として用いられる表示具に使用する表示具用伸縮構造体であり、詳しくは、前記表示具の表示板を自動的に拡開し起立させたり、表示具の表面からポップ広告板を突出させる表示具用伸縮構造体に関するものである。
【背景技術】
【０００２】
従来、店頭、展示場等おいて、商品の宣伝等のため、商品等の情報を掲載した厚紙製又は段ボール製の筒状表示体を、該筒状表示体の内部に設けた伸縮構造体により、使用時に筒状表示体を拡開して床面上に自立させ、不使用時には伸縮構造体を折り畳み筒状表示体を扁平状にできるものが使用され、例えば、実用新案登録第３１６４７７４号（特許文献１）、実用新案登録第３１６３４８１号（特許文献２）が提案されている。
また、厚紙製又は段ボール製の表示体の表面から、商品等の情報を掲載したポップ広告板を前方に突出させることができる表示具も使用され、例えば、特開２０１１−１８０３２０（特許文献３）が提案されている。
【０００３】
上記特許文献１に開示されている展示用表示体に使用される伸縮構造体は、略く字状に屈曲し、対向して配置する２つの脚部と、両脚部における一端部及び他端部を連結して、展示用表示体の表板及び裏板に固着される固着部と、前記脚部における屈曲付近で両脚部を連結する弾性部材とを備えたものであり、弾性部材の付勢により、伸縮構造体の脚部が筒状体の展示用表示体を外側方向へ円弧状に膨出するように押し広げ、展示用表示体を自立できるようにしたものである。
しかし、上記特許文献１の考案は、前記伸縮構造体には、２つの脚部の間隔を所定の間隔に規制する部材が備えられていないため、２つの脚部の間隔が一定の間隔にならず、前記筒状体の展示用表示体を外側方向へ円弧状に押し広げる幅が定まらない。また、前記伸縮構造体が立体的形状に拡開したとき、その立体的形状は不安定なものとなる。さらには、牽引する力が強い弾性部材を使用することができないため、展示用表示体を円弧状に押し広げ展開する力が弱いという問題点がある。
【０００４】
上記特許文献２に開示されているポップアップ広告体の内部保形支持体は、それぞれの板片を折り曲げて形成した1組の筒体の一側面同士の一部を固定して形成された筒形構造体であり、1組の筒体の一側面は、それぞれの板片の側端間に弾性体を掛け渡して、伸縮変形可能な芯板を構成したものである。
よって、上記特許文献２の考案は、伸縮変形可能とした筒体の一側面の構造が複雑であり、かつ、２つの筒形構造体を組合せ、伸縮変形可能な芯板を備えた一側面が重合したものであるから、内部保形支持体及びポップアップ広告体を折り畳んだ際、扁平状にすることが難しく嵩張ると言う問題点がある。
【０００５】
上記特許文献３に開示されている表示体支持構造は、取付面側より突出して表示される表示体を支持するもので、前記取付面の前方に前記表示体が突出した突出位置と、前記取付面に前記表示体の裏面側が近接された重畳位置との間で該表示体を移動可能に接続部材で接続し、前記表示体を前記重畳位置から突出位置へと突出させたとき、その表示体の突出姿勢を維持する突出姿勢維持手段を備えたものであるが、取付面側から弾性部材などにより表示体を自動的に突出させることができないと言う問題点がある。
【先行技術文献】
【特許文献】
【０００６】
【特許文献１】登録実用新案公報：実用新案登録第３１６４７７４号
【特許文献２】登録実用新案公報：実用新案登録第３１６３４８１号
【特許文献３】公開特許公報：特開２０１１−１８０３２０
【考案の概要】
【考案が解決しようとする課題】
【０００７】
そこで、本考案は上記の従来存した諸問題に鑑み創出したもので、表示具用伸縮構造体が自立的に立体的形状に拡開可能であり、拡開し立体形状となったとき、調整板部が２つの脚部板部のそれぞれの屈曲部の間にあって、２つの脚部板部の間隔を所定の間隔に維持することにより、第１の平板部の第２の平板部に対し移動する距離、又は、第２の平板部の第１の平板部に対し移動する距離を、常に一定に保つとともに、立体形状に拡開した表示具用伸縮構造体の形状を安定させ、また、弾性部材として伸縮力の強いものを使用可能とし、表示具に使用した場合、表示具の自立動作を俊敏で確実に行うことを目的とする。
さらに、表示具用伸縮構造体が、折り畳まれた扁平形状から立体的形状に移行する際、弾性部材の働きにより、前記調整板部の自由端が、一方の脚部板部の屈曲部に当接するように誘導し、簡単な構成により、立体的形状になったとき前記調整板部が、前記２つの脚部板部のそれぞれの屈曲部の間に必ず配置され、また、表示具用伸縮構造体を折り畳んだとき厚みが薄くなり、表示具に使用した場合、該表示具の厚みを薄くでき運搬が容易で保管に便利となる表示具用伸縮構造体を提供することを目的とする。
【課題を解決するための手段】
【０００８】
上記目的を達成するものは、以下のものである。
（１）押圧することにより、扁平形状となり、かつ、押圧解除により、立体的形状に拡開する６角以上の多角形の筒状体からなる表示具用伸縮構造体であって、
前記表示具用伸縮構造体は、向かい合う２つの脚部板部と、一方の脚部板部の一端と他方の脚部板部の一端とを連接する第１の平板部と、前記第１の平板部と向かい合い、かつ一方の脚部板部の他端と他方の脚部板部の他端とを連接する第２の平板部と、一方の前記脚部板部から他方の前記脚部板部に向かって延びる調整板部と、前記２つの脚部板部の間に取り付けられた弾性部材とを備え、
さらに、前記２つの脚部板部は、向かい合い、かつ折り畳むことができる屈曲部を有し、前記調整板部は、一方の前記脚部板部の前記屈曲部より、他方の前記脚部板部の前記屈曲部方向に延び、かつ前記屈曲部に当接可能な自由端を有するものとなっており、前記弾性部材は、一端部が前記調整板部の基端部付近に固定され、他端部が、前記他方の前記脚部板部の前記屈曲部に固定され、向かい合う前記屈曲部が近接するように、かつ、前記調整板部の前記自由端が、前記他方の前記脚部板部の前記屈曲部に当接するように付勢するものとなっていることを特徴とする表示具用伸縮構造体。
【０００９】
（２）前記表示具用伸縮構造体は、段ボール又は厚紙からなる１枚の細長い矩形状のシートを折り曲げることにより、前記２つの脚部板部、前記第１の平板部、前記第２の平板部および前記調整板部を構成したものである前記（１）に記載の表示具用伸縮構造体。
【００１０】
（３）前記多角形の筒状体が、６角形または８角形の筒状体である前記（１）または（２）に記載の表示具用伸縮構造体。
（４）前記調整板部は、前記弾性部材を挿通する貫通孔を備え、前記弾性部材は、前記調整板部に設けた貫通孔に挿通され、その両端部がそれぞれ前記２つの脚部板部の前記屈曲部付近に、前記２つの脚部板部を内方に牽引するように取り付けられている前記（１）ないし（３）のいずれかに記載の表示具用伸縮構造体。
【００１１】
（５）前記屈曲部は、前記脚部板部の中央縦方向に形成された折曲線により形成されている前記（１）ないし（４）のいずれかに記載の表示具用伸縮構造体。
（６）前記調整板部は、自由端となっている先端部側の近くに、前記弾性部材を挿通する貫通孔を備えている前記（１）ないし（５）のいずれかに記載の表示具用伸縮構造体。
【００１２】
（７）前記弾性部材は、前記調整板部の貫通孔に挿通されるとともに、前記二つの脚部板部の屈曲部近傍にそれぞれ設けられた挿通孔に両端部が挿通され、前記脚部板部の外側において係止部材により取り付けられている前記（１）ないし（６）のいずれかに記載の表示具用伸縮構造体。
【００１３】
（８）前記弾性部材は、一端が一方の前記脚部板部の前記屈曲部付近に固定され、他端が他方の前記脚部板部の前記屈曲部付近に固定され、かつ、前記調整板部の一方の側面を横切る第１の弾性線状部と、一端が一方の前記脚部板部の前記屈曲部付近に固定され、他端が他方の前記脚部板部の前記屈曲部付近に固定され、かつ、前記調整板部の他方の側面を横切る第２の弾性線状部とを有している前記（１）ないし（４）のいずれかに記載の表示具用伸縮構造体。
（９）前記弾性部材は、輪ゴム又はゴム紐である前記（１）ないし（８）のいずれかに記載の表示具用伸縮構造体。
【考案の効果】
【００１４】
本考案に記載の表示具用伸縮構造体は、押圧を解除されると、弾性部材の付勢力により、向かい合う２つの脚部板部の屈曲部が互いに内側に牽引されその間隔を縮め、前記２つの脚部板部の屈曲部が、折り畳まれた状態から「くの字」形に徐々に開き初め、同時に第１の平板部と第２の平板部が離間しその間隔を広げる方向に移動し、立体的形状に拡開し、これに伴い、一方の前記脚部板部から他方の前記脚部板部に向かって延びる調整板部が、その自由端を前記他方の前記脚部板部の屈曲部に向かって移動し屈曲部に当接するので、前記２つの脚部板部の屈曲部と屈曲部の間隔を、前記調節坂部の幅に維持することができる。
よって、第１の平板部と第二平板部の離間する間隔、すなわち、第１の平板部が第二の平板部から移動する距離、又は第二平板部の第一平板部から移動する距離が常に一定に規制され、また、立体形状に拡開したとき表示具用伸縮構造体の形状を安定させ、さらに、弾性部材として伸縮力の強いものを使用することが可能となるので、拡開動作が俊敏で第１の平板部又は第２の平板部を前方に押し出す力を強くすることができる。
【００１５】
本考案に記載の表示具用伸縮構造体は、段ボール又は厚紙からなる１枚の細長い矩形状のシートを折り曲げ、弾性部材を取付けるのみであるから、構造が極めて簡単で、製造が容易である。
また、本考案に記載の表示具用伸縮構造体を６角形又は８角形の筒状体とすると、第１の平板部又は第２の平板部を前方にバランスよく移動させ押し出すことができ、また、第１の平板部又は第２の平板部の移動する距離、すなわち、第１の平板部と第２の平板部との離間する距離を大きくすることができる。
【００１６】
前記調整板部は、前記弾性部材を挿通する貫通孔を備え、前記弾性部材が挿通され、かつ、弾性部材の両端部がそれぞれ前記２つの脚部板部の前記屈曲部付近に、前記２つの脚部板部を内方に牽引するように取り付けられているので、前記調整坂部は常に前記２つの脚部板部の屈曲部と屈曲部を結ぶ線上にあり、押圧を解かれ表示具用伸縮構造体が立体的形状になったときは、前記調整板部は必ず前記一方の脚部板部の屈曲部と前記他方の脚部坂部の屈曲部の間に配置され、前記脚部坂部の屈曲部と屈曲部の間隔を一定に保ち、立体的形状を安定させることができる。
【００１７】
本考案に記載の表示具用伸縮構造体は、前記第１の平板部と第２の平板部が接近する方向に押圧力が加えられると、前記弾性部材が引き延ばされ、前記調整板部の自由端の先端部が次第に前記一方の脚部板部の屈曲部から遠ざかり、前記二つの脚部板部は「くの字」形の開度を除々に小さくし、やがて２つに折り畳まれた形になり、第１の平板部と第２の平板部はほぼ重なり、表示具用伸縮構造体は、扁平状に折り畳まれ厚みが薄くなり、保管・運搬に便利なものとなる。
【００１８】
本考案に記載の表示具用伸縮構造体は、前記弾性部材が、前記調整板部に設けた貫通孔に通すのではなく、前記調整板部を第１の弾性線状部と第２の弾性線状部とにより両側から挟み付けるように設けたので、前記調整板部の移動がスムースに行われ、表示具用伸縮構造体が立体的形状になったとき、確実に前記調整板部の自由端を前記脚部板部の屈曲部に当接させ、前記調整板部を２つの前記脚部板部の屈曲部と屈曲部の間に配置することができる。また、強い収縮力を有する弾性部材を使用することが容易となる。
【図面の簡単な説明】
【００１９】
【図１】本考案の実施例の表示具用伸縮構造体を展開した説明図である。
【図２】本考案の実施例の表示具用伸縮構造体を拡開し立体形状とした斜視図である。
【図３】本考案の実施例の表示具用伸縮構造体を拡開し立体的形状とした平面図である。
【図４】本考案の実施例の表示具用伸縮構造体を折り畳み扁平状とした平面図である。
【図５】本考案の実施例の表示具用伸縮構造体を使用した筒状表示具の斜視図である。
【図６】本考案の実施例の表示具用伸縮構造体を使用した卓上スタンド形表示具の斜視図である。
【図７】本考案の実施例の表示具用伸縮構造体を使用した平面状表示具の斜視図である。
【考案を実施するための形態】
【００２０】
以下、本考案の表示具用伸縮構造体について、図面に示した実施例を用いて説明する。
本考案に係る表示具用伸縮構造体１は、図１に示すように、細長い矩形状の１枚の厚紙または段ボールの一側端部に調整板部２を有し、前記調整板部２には、折曲線ａ〜ｇを介して、脚部板部３の前部脚部板部３ａ、第１の平板部４、前部脚部板部５ａと後部脚部板部５ｂからなる脚部板部５、第２の平板部６、脚部板部３の後部脚部板部３ｂ、接続片７が順に連設されたものであり、図２に示すように、前記折曲線ａにおいて前記調整板部２を内部に折り曲げた後、前記折曲線ｂ〜ｆにおいて、前記脚部板部３の前部脚部板部３ａ、前記第１の平板部４、前記脚部板部５、前記第２の平板部６、前記脚部板部３の後部脚部板部３ｂを６角形に順に折り曲げ、その後、折曲線ｇにおいて前記接続片７を６角形の内側に折り曲げ、該接続片７を前記調整板部２の前記前部脚部板部３ａとの連設部側に接着し、内部に調整板部２を有する６角形の筒状体としたものである。
なお、細長い矩形状の１枚の厚紙または段ボールに、第３、第４の平板部を加え、上記６角形の筒状体を８角形の筒状体とすることもできる。
【００２１】
図２ないし図３において、２つの脚部板部の内、左側に位置する前記脚部板部５は、中央縦方向に前記折曲線ｄが設けられ、この折曲線ｄに沿って脚部板部５の前部脚部板部５ａと後部脚部板部５ｂが「くの字」形に屈曲するとともに、２つに折り畳むことができる屈曲部Ｄを有するものである。  
そして、前記脚部板部５と向かい合う位置にある図２ないし図３において右側に位置する前部脚部板部３ａと後部脚部板部３ｂから成る前記脚部板部３は、前部脚部板部３ａと前記調整板部２との連設部に折曲線ａが設けられ、後部脚部板部３ｂと前記接続片７との連設部に折曲線ｇが設けられ、前記折曲線ａ及び前記折曲線ｇに沿って、左側に位置する前記脚部板部５と同様に「くの字」形に屈曲でき、かつ、２つに折り畳むことができる屈曲部Ａを有するものである。
さらに、左側に位置する前記脚部板部５の折曲線ｄの直ぐ脇の前部脚部板部５ａには、後述する弾性部材１２の一端を挿通する挿通孔８が設けられ、また、右側に位置する前記脚部板部３の後部脚部板部３ｂと接続片７との折曲線ｇの直ぐ脇の後部脚部板部３ｂにも、弾性部材１２の他端を挿通する挿通孔９がに設けられている。
【００２２】
前記第１の平板部４又は第２の平板部６の一方の平板部は、例えば、図５に示す円筒状表示具１４の後面表示板１６の表面、図６に示す卓上型表示具１８の中央の表示板１８ｂ、図７に示す立体表示具１９の表示板２０に接着剤等により固定され、表示具用伸縮構造体１を前記各表示板に取付けるものであり、固定されない他方の平板部は、前記円筒状表示具１４の前面表示板１５を前方に押し出す役割をするものであり、或いは、商品の宣伝を記載したポップ広告板１７を取付け、表示板から前方に突出させる役割をするものである。
前記第１の平板部と第２の平板部４は対向した位置にあり、同じ形状・同じ大きさで、上下に切欠部１１が設けられている。
尚、前記第１の平板部又は第２の平板部４は、一方を表示板への固定用としているが、第１の平板部と第２の平板部４の両方を固定用として使用する場合もある。
【００２３】
前記調整板部２は、基端部が前記脚部板部３の前部脚部板部３ａと連設し、先端部２ａは自由端としたものであり、自由端となっている前記調整板部２の先端部２ａには、後述する弾性部材１２を挿通する貫通孔１０が設けられている。
【００２４】
１２はゴム輪又はゴム紐からなる弾性部材であり、前記調整板部２の先端部２ａに設けられた前記貫通孔１０に挿通され、前記２つの脚部板部３と前記脚部板部５に設けた前記挿通孔８、９に、前記弾性部材１２の両端が挿通され、前記脚部板部３及び前記脚部板部５のそれぞれの外側に設けた係止部材１３、１３を用いて、前記脚部板部３と前記脚部板部５との間に取り付けられ、向かい合う前記脚部板部３及び前記脚部板部５のそれぞれの屈曲部Ａと屈曲部Ｄを接近する方向に付勢し、かつ、前記調整板部２の前記自由端が、前記脚部板部５の前記屈曲部Ｄに当接するように付勢するように取り付けられている。
【００２５】
前記弾性部材１２は、上記のように前記調整板部の貫通孔１０を挿通し、前記弾性部材１２の両端を前記２つの脚部板部３、５の屈曲部Ａ，Ｄ付近に固定するのではなく、前記調整板部２を両側から挟むように、前記弾性部材１２として第１の弾性線状部と第２の弾性線状部からなるものを使用し、前記弾性部材１２の第１の弾性線状部の一端を、一方の前記脚部板部５の前記屈曲部Ｄ付近に固定し、他端を他方の前記脚部板部３の前記屈曲部Ａ付近に固定し、前記調整板部２の一方の側面を横切るように設け、同様に、前記弾性部材１２の第２の弾性線状部の一端を、一方の前記脚部板部５の前記屈曲部Ｄ付近に固定し、他端を他方の前記脚部板部３の前記屈曲部Ａ付近に固定し、前記調整板部２の他方の側面を横切るように設けてもよい。
【００２６】
前記調整板部２は、自由端となっている先端部２ａに設けた前記貫通孔１０に、前記弾性部材１２が挿通され、向かい合って設けた２つの前記脚部板部３及び前記脚部板部５の間に取り付けられているので、前記調整板部２の自由端となっている先端部２ａは、前記脚部板部５の屈曲部Ｄと前記脚部板部３の屈曲部Ａとを結ぶ対角線上を移動し、前記調整板部２の先端部２ａは、前記弾性部材１２の付勢力で、前記脚部板部５の屈曲部Ｄに当接し、前記脚部板部５の屈曲部Ｄと前記脚部板部３の屈曲部Ａとの間隔を、前記調整板部２で規制することができるものである。
【００２７】
前記接続片７は、前記脚部板部３の後部脚部板部３ｂとの連設部の前記折曲線ｇにおいて、内側に折り曲げられ、前記調整板部２の前部脚部板部３ａとの連設部側に接着剤等で取り付けられるものであり、この接続片７を接着することにより、内部に前記調整板部２を有する６角形の筒状体を組立てることができるものである。
【００２８】
図５は、可撓性を有する１枚の厚紙又は段ボール等から形成され、同一形状の表面表示板１５と後面表示板１６を連設して備え、表面表示板１５と後面表示板１６は一側端が接着され筒状体とした円筒状表示具１４である。
前記円筒状表示具１４は、上下の中間位置に二つに折り畳むことができる屈曲部Ｈが設けられ、また、前記筒状体の内部には、前記屈曲部Ｈの上下２箇所に前記表示具用伸縮構造体１を配置し、表示具用伸縮構造体１の第１の平板部４を前記後面表示板１６に固定したものである。なお、前記第１の平板部４を固定するとともに、前記第２の平板部６を前記表面表示板１５の背面に固定してもよい。
【００２９】
図６は、卓上型表示具１８であり、３面の表示板１８ａ、１８ｂ、１８ｃを
を備え、前記３面の表示板の内、両側の表示板１８ａと１８ｃが、中央の表示板１８ｂに折り重なるように、内側に折り畳み可能としたものであって、その中央の表示板１８ｂの表面に、ポップ広告板１７を前記第２の平板部６に取付けた前記表示具用伸縮構造体１を、前記表示具用伸縮構造体１の第１の平板部４により取り付けたものである。
この卓上型表示具１８は、前記両サイドの表示板１８ａと１８ｃを内側に折り畳むと、前記表示具用伸縮構造体１の前記脚部板部３及び前記脚部板部５が屈曲部Ａ、Ｄにおいて屈曲し、扁平状に折り畳まれ、卓上型表示具を運搬したり、ストックする場合に、コンパクトにすることができ、使用する際は、前記両サイドの表示板１８ａと１８ｃを閉じる方向への押圧を解くことにより、前記表示具用伸縮構造体１への押圧が解除され、自動的に前記表示具用伸縮構造体１が立体的形状になり、前記ポップ広告板１７が突出し、かつ、前記両サイドの表示板１８ａと１８ｃが前方に開かれることから、中央の表示板１８ｂとにより卓上型表示具１８を立設することができるものである。
【００３０】
図７は、立体表示具１９であり、１枚の平板状の表示板２０と、ポップ広告板１７を前記第１の平板部４又は第２の平板部６の一方に取付けた前記表示具用伸縮構造体１から構成され、前記表示具用伸縮構造体１の前記ポップ広告板１７が取付られていない他方の平板部により、平板状の表示板２０の表面に取り付けられたものである。
この立体表示具１９は、前記ポップ広告板１７を突出した状態に保持し、消費者に商品をアピールし易くしたものである。
【００３１】
本発明は、上記構成としたので、細長い矩形状の１枚の厚紙または段ボールを、折曲線ａ〜ｇに沿って順に折り曲げることにより、調整板部２が内側に折り曲げられた状態で、脚部板部３の前部脚部板部３ａ、第１の平板部４、脚部板部５、第２の平板部６、脚部板部３の後部脚部板部３ｂからなる６角形の筒状体が形成され、接続片７が前記調整板部２に接着され、内部に前記調整板部２を有する表示具用伸縮構造体１が構成される。        
【００３２】
前記表示具用伸縮構造体１の６角形の筒状体の一方の脚部板部３と向かい合う他方の脚部板部５との間に、前記弾性部材１２が取り付けられているので、第１の平板部４と第２の平板部６が接近する方向への押圧が解除されると、２つに折り畳まれていた脚部板部３及び脚部板部５のそれぞれの屈曲部Ａ、Ｄが、「くの字」形に変形し徐々にその開度を広げ、脚部板部３及び脚部板部５が立ち上がるように伸び、前記第１の平板部４と第２の平板部６との間隔を広げ、前記表示具用伸縮構造体１を立体形状に拡開することができる。
したがって、円筒状表示具１４において、その内部に表示具用伸縮構造体１を設置した場合は、押圧が解除されると、円筒状表示具１４の表面表示板１５と後面表示板１６との間を離間させ、前記円筒状表示具１４を前記弾性部材１２の働きで自立させることができる。
【００３３】
また、前記表示具用伸縮構造体１が立体形状に拡開されたとき、前記弾性部材１２の働きで、前記調整板部２の自由端となっている先端部２ａが誘導され脚部板部５の屈曲部Ｄの内側に当接し、向かい合って設けた２つの脚部板部３、５の屈曲部Ａと屈曲部Ｄ間に必ず配置されることになり、２つの脚部板部３と脚部板部５の間隔を確実に所定の間隔に維持することができる。
【００３４】
そして、不使用時において、表示具用伸縮構造体１を扁平にする場合は、表示具用伸縮構造体１の前記第１の平板部４と第２の平板部６とを接近させる方向に力を加えると、前記弾性部材１２が引き延ばされ、前記脚部板部３及び脚部板部５の間隔が除々に拡がり、前記脚部板部３、５の屈曲部Ａ及びＤが、次第にその屈曲角度を変え、「くの字」の開度を除々に狭め、やがて２つに折り畳まれ、表示具用伸縮構造体１は扁平状になる。
【００３５】
上記より、本考案に記載の表示具用伸縮構造体は、立体的形状に拡開したとき、２つの脚部板部の間隔を、調整板部の幅に維持することができるので、第１の平板部又は第２の平板部の離間する間隔を常に一定に保つことができ、表示板の表示面からの飛び出す幅を所定の幅に保ち、かつ、飛び出した状態で維持できる。また、立体形状に拡開したとき、前記調整板部があたかも筋交いのような働きをし表示具用伸縮構造体の形状を安定させ、さらに、弾性部材として伸縮力の強いものを使用することができるので、拡開動作が俊敏で、かつ、第１の平板部又は第２の平板部を前方に押し出す力を強くすることができる。
【００３６】
また、表示具用伸縮構造体が前後方向、すなわち、第１の平板部と第２の平板部が接近する方向に押圧力が加えられれば、前記弾性部材が引き延ばされ、前記調整板部の自由端の先端部が次第に前記一方の脚部板部の屈曲部内面から遠ざかり、表示具用伸縮構造体は、扁平状に折り畳まれ、厚みの薄い表示具用伸縮構造体となるので、保管・運搬に便利である。
【００３７】
さらに、前記調整板部は、折り畳まれた状態から立体形状に変形する間において、前記調整板部の先端部に設けた貫通孔に前記弾性部材が挿通され屈曲部に取り付けられているので、或いは、前記調整板部が両側から前記弾性部材の弾性線状部に挟持されているので、常に前記２つの脚部板部のそれぞれの屈曲部と屈曲部を結ぶ線上に位置し、表示具用伸縮構造体が立体形状になるに従い、前記一方の脚部板部の屈曲部内面に誘導され接近して行き、所定の立体形状となったときには、必ず前記一方の脚部板部の屈曲部内面に当接し、対向する２つの脚部板部の間隔を一定の間隔に保つことができる。また、強い牽引力を有する弾性部材を使用しても、対向する２つの脚部板部の間隔を前記調整板部により一定の間隔に保つことができるので、表示具用伸縮構造体を強い力で迅速に立体形状に拡開することができる。
【００３８】
本考案に記載の表示具用伸縮構造体は、段ボール又は厚紙からなる１枚の細長い矩形状のシートを折り曲げ、一端を接着し、弾性部材を取付けるのみであるから、構造が極めて簡単で、製造も容易である。
また、本考案に記載の表示具用伸縮構造体を６角形の筒状体とした場合は、第１の平板部又は第２の平板部を前方にバランスよく移動させ押し出すことができ、第１の平板部又は第２の平板部の前方への移動距離を大きくすることができ、また、表面板からの突出距離を大きくすることができる。
【符号の説明】
【００３９】
ａ〜ｇ  折曲線
１ 表示具伸縮構造体
２ 調整板部
２ａ 調整板部の先端部
３ 脚部板部
３ａ 前部脚部板部
３ｂ 後部脚部板部
４ 第１の平板部
５ 脚部板部
５ａ 前部脚部板部
５ｂ 後部脚部板部
６ 第２の平板部
７ 接続片
８ 挿通孔
９ 挿通孔
１０ 貫通孔
１２ 弾性部材
１３ 係止部材
Ａ 脚部板部の屈曲部
Ｄ 脚部板部の屈曲部
【図１】
0003182695.tif 000003
【図２】
0003182695.tif 000004
【図３】
0003182695.tif 000005
【図４】
0003182695.tif 000006
【図５】
0003182695.tif 000007
【図６】
0003182695.tif 000008
【図７】
0003182695.tif 000009